(57)【要約】【課題】  移動可能なソーラーシステムを提供すること。【解決手段】  太陽光発電システムのソーラーパネル、そのコントローラやバッテリを被覆するカバー、ソーラーパネルで発電された電気をバッテリに充電する充電回路、バッテリから供給される電気を制御する制御機器、バッテリに充電された電気で点灯させる照明具、照明具を取り付ける支柱を移動車に取り付け可能にセットしておくか又は移動車に搭載した。【選択図】図１
2010034190.tif 000002
【特許請求の範囲】
【請求項１】
太陽光発電システムと、そのシステムで発電された電気を蓄えるバッテリと、前記電気を制御する制御機器と、制御機器からの給電で動作する照明具と、照明具を取り付ける支柱が移動車に搭載可能にセットされているか又は移動車に搭載されたことを特徴とする移動式ソーラーシステム。
【請求項２】
請求項１記載の移動式ソーラーシステムにおいて、制御機器から電気を取り出すコンセントを備えたことを特徴とする移動式ソーラーシステム。
【請求項３】
請求項１又は請求項２記載の移動式ソーラーシステムにおいて、ソーラーパネルがバッテリの上方に配置されたことを特徴とする移動式ソーラーシステム。
【請求項４】
請求項１ないし請求項３のいずれかに記載の移動式ソーラーシステムにおいて、支柱が固定式又は伸縮又は分解又は折り畳み可能であることを特徴とする移動式ソーラーシステム。
【請求項５】
請求項１ないし請求項４のいずれかに記載の移動式ソーラーシステムにおいて、移動車支持用の支持脚が移動車の下方に設けられ、支持脚は長さ調節可能であることを特徴とする移動式ソーラーシステム。
【請求項６】
請求項１ないし請求項５のいずれかに記載の移動式ソーラーシステムにおいて、移動車が錘搭載部を備えたことを特徴とする移動式ソーラーシステム。
【発明の詳細な説明】
【技術分野】
【０００１】
本願発明は太陽光発電システムを移動可能にした移動式ソーラーシステムに関するものである。
【背景技術】
【０００２】
近年、太陽光発電システムが普及しており、建物の屋根の上にソーラーパネルが配置されている光景を目にすることがある。
【発明の開示】
【発明が解決しようとする課題】
【０００３】
従来の太陽光発電システムは、ソーラーパネルが建物の屋根に固定されているため、発電された電力の利用場所が限られていた。
【０００４】
本願発明の課題は太陽光発電システムを自由に移動でき、発電した電気の使用場所の制約を受けることなく、何処ででも使用できる太陽光発電システムを実現することにある。
【課題を解決するための手段】
【０００５】
本願発明の移動式ソーラーシステムは、請求項１記載のように太陽光発電システムと、そのシステムで発電された電気を蓄えるバッテリと、前記電気を制御する制御機器と、制御機器からの給電で動作する照明具と、照明具を取り付ける支柱を移動車に搭載可能にセットされているか又は移動車に搭載されたものである。請求項２記載のように移動車に、制御機器から電気を取り出すコンセントを備えることも出来る。請求項３記載のように太陽光発電システムのソーラーパネルを前記バッテリの上方に配置することもできる。請求項４記載のように前記支柱を固定又は伸縮又は分解又は折り畳み可能とすることもできる。請求項５記載のように移動車を支持するための支持脚を移動車の下方に設け、支持脚を長さ調節可能とすることもできる。請求項６のように移動車に錘搭載部を設け、そこに錘を載せて移動車を安定させることもできる。
【発明の効果】
【０００６】
本願発明の移動式ソーラーシステムは次のような効果がある。
（１）太陽光発電システム、バッテリ、照明具が移動車に搭載されているため、移動車を災害発生時の停電地域に移動して周囲を照明するとか、電気の通っていない山間僻地などに運んで電気機器に電源供給することもできる。
（２）支柱を伸縮、分解、折り畳み可能としたので、支柱を短くしてコンパクト化すれば移動や輸送、不使用時の格納等に便利である。
（３）太陽光エネルギーを利用するためＣＯ2が発生せず、自然環境に優しい。
（４）移動車の向きを変えるだけでソーラーパネルの向きを太陽光の位置に合わせることができるので、太陽光エネルギーを効率よく採光することができる。
（５）発電された電気をバッテリに蓄えることができるので、電気の無駄がなく、必要時に利用できる。
（６）インバータ、コンバータ等の制御機器を設けたので、発電された電気を必要な電圧や周波数に変えて利用することができる。
（７）バッテリに蓄えた電気を取り出すコンセントを設けたので、ラジオ、テレビ等の民生機器や他の機器への電源供給が容易になる。
（８）太陽光発電システムのソーラーパネルをバッテリの上方に配置したので、移動車の狭い搭載部を有効活用できる。
（９）移動車の下に高さ調節可能な支持脚を設けたので、傾斜地や凹凸のある地面でも移動車を安定支持することができる。
（１０）移動車の錘搭載部に錘を搭載することができるので移動車を安定させることができる。
【発明を実施するための最良の形態】
【０００７】
（実施形態１）
本願発明の移動式ソーラーシステムの第１の実施形態を図面に基づいて説明する。図示したものは移動車１（図１）の上に太陽光発電システム２、バッテリ３（図４）、コントロールボックス４（図４）、支柱５、照明具６、コンセント７（図１）を備えている。
【０００８】
前記移動車１は移動可能なものであれば手押し移動式のものでも、電動走行式のものでも、小型トラックのような自動車であってもよいが、図１に示すものは手押し移動式である。移動車１は図２に示すように方形のフレーム１０（図４）の底面四箇所に車輪（例えばキャスタ）１１が設けられ、フレーム１０の上にハンドル１２が立設され、そのハンドル１２を引いたり押したりすることにより移動可能としてある。車輪１１にはストッパーが装備されている。フレーム１０の底面四箇所には支持脚１３が取り付けられている。支持脚１３はフレーム１０の底面のブラケット１４にネジ込んで長さ調節可能としてあり、長さ調節することにより停車時に傾斜地、凹凸のある地面等でも移動車１を水平に支持できるようにしてある。支持脚１３の長さ調節は他のアジャスタ機能で行なうこともできる。前記ハンドル１２はフレーム１０の上に折り畳み、取り外し可能とすることも出来る。
【０００９】
フレーム１０には錘搭載部１５（図４）を設けてある。錘搭載部１５はフレーム１０の平行な前後二本のバー１５ａ、１５ｂで構成される。錘搭載部１５には図５のように錘１６を搭載することができる。この錘１６は中空タンク１７内に水や砂などの流動物を入れたものである。錘１６を搭載することにより移動車１が安定する。不使用時には中空タンク１７内を空にして移動車１を軽くして移動や運搬を容易にすることができる。前記タンク１７の底面には前記バー１５ａ、１５ｂに係止可能な係止溝１８が設けられている。錘１６は他のもの、例えば、金属やコンクリートの塊とか、中空タンク１７の代わりに袋を使用し、それに水や砂などを入れたもの等であってもよい。
【００１０】
前記フレーム１０の略中央部にはバッテリ３（図４）が搭載固定され、ハンドル１２側にはコントロールボックス４（図４）が搭載固定されている。バッテリ３には汎用のもの或いは新規のものを使用することができる。バッテリ３の過充電・過放電報知手段や過充電・過放電の停止手段を備えることができる。前記過充電・過放電報知手段としては、例えば音や光等を発する手段とすることができる。コントロールボックス４内には太陽光発電機のコントローラ、インバータ、コンバータ、充電回路等々の各種制御機器が収容されている。コントロールボックス４にはケーブル中継用のコンセント７（図４）、電源取り出し用のコンセント７（図１）、電源スイッチ２２等（図１）が取り付けられている。コンセント７はバッテリ３に蓄えられた電気を外部の電気機器に電源供給するためのものであり、汎用のものを使用することができ、その数は任意数とすることができる。
【００１１】
前記バッテリ３、コントロールボックス４の上には方形のカバー２３（図１）を被せてある。カバー２３はコントロールボックス４の操作盤２１（図１）が外部に露出して、カバー２３の外からコンセント７に外部機器の電源プラグを差し込んだり、引き抜いたりすることが出来、電源スイッチ２２を操作することができるようにしてある。カバー２３は図３の水平状態から横向き状態（仮想線で表示）まで矢印ａ−ｂ方向に開閉可能としてある。カバー２３には開閉ステー２４が取り付けられており、カバー２３を開くと開閉ステー２４が伸びてカバー２３を開いた状態に保持でき、開閉ステー２４を畳むとカバー２３を閉じることができるようにしてある。カバー２３を開くことによりカバー２３内部の機器の点検、確認等が容易になる。カバー２３には覗き窓を開口し、それに開閉蓋を設けておくこともできる。
【００１２】
前記太陽光発電システム２には既存のものを使用することも新規のものを使用することもでき、いずれの場合も図１のように、ソーラーパネル２５とそれで発電された電気を制御する各種制御機器コントローラを備えている。ソーラーパネル２５のサイズ、発電容量等は必要に応じて選択可能であるが、移動、輸送等に適した小型、軽量のものを使用することが望ましい。ソーラーパネル２５は移動車１の上のカバー２３の上に連結具２６、２７（図１）により取り付けてある。下側の連結具２６はカバー２３の幅方向両側から立上げた支持片２６ａにピン２６ｂで回動可能に係止してあり、上側の連結具２７に伸縮具を使用し、その下端をカバー２３の上に回動自在に取り付け、上端をソーラーパネル２５の裏面に回動可能に取り付けて、連結具２７を伸ばすとソーラーパネル２５が押し上げられて前斜し、連結具２７を縮めるとソーラーパネル２５が図２に仮想線で示すように水平に戻るようにしてある。ソーラーパネル２５は前記以外の駆動機構で角度調整可能とすることもでき、一定の傾斜角度に固定することもできる。
【００１３】
前記支柱５は移動車１のフレーム１０の上面に立設してあり、その外周両側面に図１のようにハンドル１２の内側端部が溶接固定されている。図示した支柱５は内径の大きな下ポール５ａに外径の小さな上ポール５ｂを差し込んでネジ止めし、上ポール５ｂをスライドさせて差し込み長を調節することにより支柱５の全長（高さ）を調節可能としてある。支柱５の高さ調節は他の方法で行うこともできる。例えば、支柱５の軸方向数箇所から上下に折り曲げ可能としたり、数本のポールを差し込み取り外し（分解）可能としたり、ロッドアンテナのようなスライド式とすることもできる。
【００１４】
図１の照明具６は支柱５の上端に取り付けてある。照明具６には蛍光灯、白熱電球、ＬＥＤ等の各種光源を使用することができ、消費電力が少なく、故障しにくいＬＥＤが適する。照明具６は移動車１の外側に向けて取り付けて移動車１の外側を照明できるようにしてある。照明具６は向きを変更可能に支柱５に取り付けるか、支柱５には固定するが支柱５を回転可能とすることにより向きを変えることもできる。照明具６は支柱５から取外し（分離）可能とすることもできる。支柱５への取り付け位置も任意に選択することができる。
【００１５】
図１の太陽光発電システム２で発電された電圧（通常ＤＣ１２〜１４Ｖ）は、制御ボックス内の充電回路で制御されてバッテリ３に充電され、バッテリ３の電力はインバータで一定電流に制御され、その電流が整流されて照明具６（ＬＥＤ）に供給されるようにしてある。また、バッテリ３の電力はコンバータでＡＣ１００Ｖに昇圧されてコンセント７に供給されるようにしてある。コンセント７は被災地で使用する携帯電話やラジオ等の外部電気機器の電源として使用するのに適する。
【００１６】
（他の実施形態）
前記実施形態は太陽光発電に必要な装置一式を移動車１に搭載固定した場合であるが、前記発電装置一式は移動可能な状態にセットして格納場所に保管しておき、それを非常時に移動車１や自動車に搭載して移動、輸送等できるようにすることもできる。
【００１７】
（使用例）
本願発明の太陽光発電システム２を使用するには、ソーラーパネル２５を太陽に向けて太陽光を採光し、発電される電気を充電回路で制御してバッテリ３に充電し、充電された電気を制御機器で必要電流或いは電圧に制御して照明具６を点灯させる。移動車１を災害発生により停電中の場所や、電源の無い場所に移動させて照明することが出来、コンセント７からラジオ、テレビ等の外部電気機器の電源を得ることも出来る。
【産業上の利用可能性】
【００１８】
本願発明の移動式ソーラーシステムは、照明や電源を必要な箇所で使用可能であり、特に、ライフラインが分断された被災地や、電気を必要とするが配線のできないような場所に移動して利用できるため非常に重宝するものである。また、太陽光を採光できない場所では、充電時には屋外で採光して発電させ、充電後に電気の必要な場所に移動させて使用することもできるため、非常に便利である。
【図面の簡単な説明】
【００１９】
【図１】本願発明の移動式ソーラーシステムの一例を示す斜視図。
【図２】図１の移動式ソーラーシステムの側面図。
【図３】図１の移動式ソーラーシステムの正面図。
【図４】本願発明の移動式ソーラーシステムのフレーム部分の説明図。
【図５】本願発明の移動式ソーラーシステムのフレーム部分に錘を搭載した状態を示す斜視図。
【符号の説明】
【００２０】
１  移動車
２  太陽光発電システム
３  バッテリ
４  コントロールボックス
５  支柱
５ａ  下ポール
５ｂ  上ポール
６  照明具
７  コンセント
１０  フレーム
１１  車輪
１２  ハンドル
１３  支持脚
１４  ブラケット
１５  錘搭載部
１５ａ、１５ｂ  バー
１６  錘
１７  中空タンク
１８  係止溝
２１  操作盤
２２  電源スイッチ
２３  カバー
２４  開閉ステー
２５  ソーラーパネル
２６  下側の連結具
２６ａ  支持片
２６ｂ  ピン
２７  上側の連結具
【図１】
2010034190.tif 000003
【図２】
2010034190.tif 000004
【図３】
2010034190.tif 000005
【図４】
2010034190.tif 000006
【図５】
2010034190.tif 000007